【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  １つのゲートウェイロケーションレジスタが第１の国の第１ビジタロケーションレジスタと第２の国の第２ビジタロケーションレジスタとをサービスするネットワークにおいて、サービスしているビジタロケーションレジスタに地域加入データを提供する方法であって、
１つのネットワークにおいて移動加入者からロケーション更新を受け取るステップと、
前記ゲートウェイロケーションレジスタによってサービスされるネットワークにおいてこの更新が前記移動加入者の最初のロケーション更新であるかどうかを判断するステップと、
新しい国においてこの更新が前記移動加入者の最初のロケーション更新であるかどうかを判断するステップと、
前記ロケーション更新が前記ネットワークにおける前記移動加入者の最初のロケーション更新ではなく、前記新しい国における前記移動加入者の最初のロケーション更新である場合に、前記移動加入者に関わるホームロケーションレジスタに地域加入データを要求するステップと、
を有する方法。
【請求項２】  前記地域加入データの要求は、前記ゲートウェイロケーションレジスタがMAP UPDATE LOCATION要求メッセージをホームロケーションレジスタに送ることによって行われる、請求項１記載の方法。
【請求項３】  前記MAP UPDATE LOCATION要求メッセージは、前記移動加入者が現在位置している国を前記ホームロケーションレジスタに示すゲートウェイ移動通信交換局アドレスを含む、請求項２記載の方法。
【請求項４】  前記MAP UPDATE LOCATION要求メッセージは、前記移動加入者をサービスしているビジタロケーションレジスタに関わる国コードと国内移動先コードを表すゲートウェイ移動通信交換局アドレスを含む、請求項２記載の方法。
【請求項５】  前記MAP UPDATE LOCATIONメッセージは、前記移動加入者を現在サービスしているビジタロケーションレジスタに関わる国コードと国内移動先コードを有するフィールドを含む、請求項２記載の方法。
【請求項６】  前記地域加入データの要求は、前記ゲートウェイロケーションレジスタがMAP RESTORE DATA要求メッセージをホームロケーションレジスタに送ることによって行われる、請求項１記載の方法。
【請求項７】  前記MAP RESTORE DATA要求メッセージは、前記移動加入者を現在サービスしているビジタロケーションレジスタに関わる国コードと国内移動先コードを有するフィールドを含む、請求項６記載の方法。
【請求項８】  前記地域加入データの要求は、前記ゲートウェイロケーションレジスタが明示的要求メッセージをホームロケーションレジスタに送ることによって行われる、請求項１記載の方法。
【請求項９】  前記明示的要求メッセージは地域加入データを要求するように特別につくられたメッセージであり、また前記明示的要求メッセージは前記移動加入者をサービスしているビジタロケーションレジスタに関わる国コードと国内移動先コードを含む、請求項８記載の方法。
【請求項１０】  ゾーンコードのリストが前記ホームロケーションレジスタから前記ゲートウェイロケーションレジスタに明示的応答メッセージによって転送される、請求項８記載の方法。
【請求項１１】  前記判断するステップは前記ゲートウェイロケーションレジスタによって行われる、請求項１記載の方法。
【請求項１２】  前記判断するステップは、前記新しい国における前記移動加入者をサービスしているビジタロケーションレジスタによって行われる、請求項１記載の方法。
【請求項１３】  この更新が前記ネットワーク内の前記移動加入者の最初のロケーション更新であると判断された場合、
前記ゲートウェイロケーションレジスタによってサービスされるビジタロケーションレジスタに関わる国コードと国内移動先コードのすべての組み合わせを含むMAP UPDATE LOCATION要求メッセージを送る、請求項１記載の方法。
【請求項１４】  １つのゲートウェイロケーションレジスタが第１のネットワークの第１ビジタロケーションレジスタと第２のネットワークの第２ビジタロケーションレジスタとをサービスし、前記第１と第２のネットワークが同じ国に配備されているネットワークにおいて、サービスしているビジタロケーションレジスタに地域加入データを提供する方法であって、
１つのネットワークにおいて移動加入者からロケーション更新を受け取るステップと、
前記第１と第２のネットワークにおいてこの更新が前記移動加入者の最初のロケーション更新であるかどうかを判断するステップと、
前記ゲートウェイロケーションレジスタによってサービスされる新しいネットワークにおいてこの更新が前記移動加入者の最初のロケーション更新であるかどうかを判断するステップと、
前記ロケーション更新が前記第１と第２のネットワークにおける前記移動加入者の最初のロケーション更新ではなく、前記新しいネットワークにおける前記移動加入者の最初のロケーション更新である場合に、前記移動加入者に関わるホームロケーションレジスタに地域加入データを要求するステップと、
から成る方法。
【請求項１５】  前記地域加入データの要求は、前記ゲートウェイロケーションレジスタがMAP＿UPDATE＿LOCATION要求メッセージを前記ホームロケーションレジスタに送ることによって行われる、請求項１４記載の方法。
【請求項１６】  前記MAP＿UPDATE＿LOCATIONメッセージは、前記移動加入者を現在サービスしているビジタロケーションレジスタに関わる国コードと国内移動先コードを有するフィールドを含む、請求項１５記載の方法。
【請求項１７】  前記地域加入データの要求は、前記ゲートウェイロケーションレジスタがMAP＿RESTORE＿DATA要求メッセージをホームロケーションレジスタに送ることによって行われる、請求項１４記載の方法。
【請求項１８】  前記地域加入データの要求は、前記ゲートウェイロケーションレジスタが明示的要求メッセージをホームロケーションレジスタに送ることによって行われる、請求項１４記載の方法。
【請求項１９】  前記明示的要求メッセージは地域加入データを要求するように特別につくられたメッセージであり、また前記明示的要求メッセージは前記移動加入者をサービスしているビジタロケーションレジスタに関わる国コードと国内移動先コードを含む、請求項１８記載の方法。
【請求項２０】  前記判断するステップは前記ゲートウェイロケーションレジスタによって行われる、請求項１４記載の方法。
【請求項２１】  前記判断するステップは、前記新しい国における前記移動加入者をサービスしているビジタロケーションレジスタによって行われる、請求項１４記載の方法。
【請求項２２】  前記ゲートウェイロケーションレジスタは前記ゲートウェイロケーションレジスタによりサービスされるネットワークごとに異なるゲートウェイロケーションレジスタ番号を有する、請求項１４記載の方法。
【請求項２３】  前記地域加入データの要求は、前記移動加入者をサービスしているビジタロケーションレジスタに関わる前記ゲートウェイロケーションレジスタ番号を用いて行われる、請求項２２記載の方法。
【請求項２４】  １つのゲートウェイロケーションレジスタが１つのビジタロケーションレジスタをサービスするネットワークにおいて、１つのビジテッドネットワーク内に位置している移動加入者にショートメッセージサービスメッセージを送る方法であって、
前記ゲートウェイロケーションレジスタが前記ビジテッドネットワーク内にあることを前記移動加入者に関わるホームロケーションレジスタに示すステップと、
前記ビジテッドネットワークにおいて前記移動加入者をサービスしている移動通信交換局のアドレスを前記ゲートウェイロケーションレジスタに要求するステップと、
を有する方法。
【請求項２５】  前記ビジテッドネットワークにおいて前記ゲートウェイロケーションレジスタがあることの表示はMAP＿UPDATE＿LOCATION要求メッセージで与えられる、請求項２４記載の方法。
【請求項２６】  前記MAP＿UPDATE＿LOCATION要求メッセージは、前記ビジテッドネットワークが１つのゲートウェイロケーションレジスタを含むことを前記ホームロケーションレジスタに示すためのダミー移動通信交換局アドレスを含む、請求項２５記載の方法。
【請求項２７】  前記MAP＿UPDATE＿LOCATION要求メッセージは、前記ビジテッドネットワークが１つのゲートウェイロケーションレジスタを含むことを前記ホームロケーションレジスタに示す特別のパラメータを含む、請求項２５記載の方法。
【請求項２８】  ホームロケーションレジスタレコードをチェックして、前記ビジテッドネットワークにおいて１つのゲートウェイロケーションレジスタがあるかどうかを１つのフラグが示すかどうかを判断するステップ、
を更に含む請求項２４記載の方法。
【請求項２９】  １つのゲートウェイロケーションレジスタが１つのサービスするサポートノードをサービスするネットワークにおいて、１つのビジテッドネットワーク内に位置する移動加入者にパケットデータを送る方法であって、
前記ゲートウェイロケーションレジスタが前記ビジテッドネットワーク内にあることを前記移動加入者に関わるホームロケーションレジスタに示すステップと、
前記ビジテッドネットワークにおいて前記移動加入者をサービスしているサービスするサポートノードのアドレスを前記ゲートウェイロケーションレジスタに要求するステップと、
を有する方法。
【請求項３０】  前記ビジテッドネットワークにおいて前記ゲートウェイロケーションレジスタがあることの表示はMAP＿UPDATE＿GPRS＿LOCATION要求メッセージで与えられる、請求項２９記載の方法。
【請求項３１】  前記MAP＿UPDATE＿GPRS＿LOCATION要求メッセージは、前記ビジテッドネットワークが１つのゲートウェイロケーションレジスタを含むことを前記ホームロケーションレジスタに示すためのダミーのサービスするサポートノードアドレスを含む、請求項３０記載の方法。
【請求項３２】  前記MAP＿UPDATE＿GPRS＿LOCATION要求メッセージは、前記ビジテッドネットワークが１つのゲートウェイロケーションレジスタを含むことを前記ホームロケーションレジスタに示す特別のパラメータを含む、請求項３０記載の方法。
【請求項３３】  ホームロケーションレジスタレコードをチェックして、前記ビジテッドネットワークにおいて１つのゲートウェイロケーションレジスタがあるかどうかを１つのフラグが示すかどうかを判断するステップ、
を更に含む請求項２９記載の方法。
【請求項３４】  前記サービスするサポートノードは総括パケット無線サービス（GPRS）サポートノードである、請求項３１記載の方法。